Podtech/llm-jp-corpus-v4-ja_patent huggingface dataset:
【手続補正書】
【提出日】平成29年9月19日(2017.9.19)
【手続補正１】
【補正対象書類名】特許請求の範囲
【補正対象項目名】全文
【補正方法】変更
【補正の内容】
【特許請求の範囲】
【請求項１】
一方向に配列された複数の圧力検出素子からなる少なくとも１つの素子列と、
前記一方向が動脈の伸びる方向と交差する状態で、生体の皮膚上から前記動脈に対し前記素子列を押圧する押圧部と、
前記押圧部による押圧力を制御する押圧制御部と、
前記押圧制御部の制御によって前記押圧力が増加又は減少する過程で前記素子列に含まれる各圧力検出素子により検出された圧脈波に基づいて前記動脈内の第一の血圧値を算出する第一の血圧算出部と、を備え、
前記第一の血圧算出部は、前記素子列に含まれる各圧力検出素子により前記押圧力が増加又は減少する過程での任意のタイミングで検出された圧脈波に基づき、当該素子列に含まれる圧力検出素子の中から少なくとも１つを選択する処理を、前記過程での複数タイミングの各々に対して行い、前記複数タイミングの各々に対して行った前記処理によって選択した前記圧力検出素子により当該タイミングで検出された第一の圧脈波に基づいて前記動脈内の第一の血圧値を算出する血圧測定装置。
【請求項２】
請求項１記載の血圧測定装置であって、
前記第一の血圧算出部は、前記第一の圧脈波の振幅変化に基づいて前記動脈内の第一の血圧値を算出する血圧測定装置。
【請求項３】
請求項１又は２記載の血圧測定装置であって、
前記第一の血圧算出部によって算出された第一の血圧値を用いて校正用データを生成する校正用データ生成部と、
前記動脈の一部を平坦に変形させるための押圧力で前記素子列が前記動脈に押圧された状態で、前記素子列に含まれる圧力検出素子から選択された１つの圧力検出素子により検出される圧脈波を、前記校正用データを用いて校正して、前記動脈内の第二の血圧値を算出する第二の血圧算出部と、を更に備える血圧測定装置。
【請求項４】
請求項３記載の血圧測定装置であって、
前記校正用データ生成部は、前記第一の圧脈波の中から選択した圧脈波と、前記第一の血圧値とを用いて校正用データを生成する血圧測定装置。
【請求項５】
請求項１〜４のいずれか１項記載の血圧測定装置であって、
前記第一の血圧算出部は、前記第一の圧脈波の振幅値と前記第一の圧脈波の検出時における前記押圧力とを対応付けた脈波包絡線データ、又は、前記第一の圧脈波の振幅値と前記第一の圧脈波の形状を特定する情報のうちの振幅値を除く情報とを対応付けた脈波包絡線データを生成し、前記脈波包絡線データから前記第一の血圧値を算出する血圧測定装置。
【請求項６】
請求項５記載の血圧測定装置であって、
前記第一の圧脈波の形状を特定する情報のうちの振幅値を除く情報は、前記第一の圧脈波の最大値、前記第一の圧脈波の最小値、又は、前記最大値と前記最小値の平均値である血圧測定装置。
【手続補正２】
【補正対象書類名】明細書
【補正対象項目名】０００２
【補正方法】変更
【補正の内容】
【０００２】
手首の橈骨動脈等の動脈が通る生体部位に圧力センサを直接接触させた状態で、この圧力センサにより検出される情報を用いて脈拍や血圧等の生体情報を測定することのできる生体情報測定装置が知られている（例えば特許文献１〜４参照）。
【手続補正３】
【補正対象書類名】明細書
【補正対象項目名】００１２
【補正方法】変更
【補正の内容】
【００１２】
本発明の血圧測定装置は、一方向に配列された複数の圧力検出素子からなる少なくとも１つの素子列と、前記一方向が動脈の伸びる方向と交差する状態で、生体の皮膚上から前記動脈に対し前記素子列を押圧する押圧部と、前記押圧部による押圧力を制御する押圧制御部と、前記押圧制御部の制御によって前記押圧力が増加又は減少する過程で前記素子列に含まれる各圧力検出素子により検出された圧脈波に基づいて前記動脈内の第一の血圧値を算出する第一の血圧算出部と、を備え、前記第一の血圧算出部は、前記素子列に含まれる各圧力検出素子により前記押圧力が増加又は減少する過程での任意のタイミングで検出された圧脈波に基づき、当該素子列に含まれる圧力検出素子の中から少なくとも１つを選択する処理を、前記過程での複数タイミングの各々に対して行い、前記複数タイミングの各々に対して行った前記処理によって選択した前記圧力検出素子により当該タイミングで検出された第一の圧脈波に基づいて前記動脈内の第一の血圧値を算出するものである。
【手続補正４】
【補正対象書類名】明細書
【補正対象項目名】００１６
【補正方法】変更
【補正の内容】
【００１６】
図１は、本発明の一実施形態を説明するための血圧測定装置の圧脈波検出部１００の構成を示す外観図である。本実施形態の血圧測定装置は、図示しないベルトにより、血圧測定対象となる動脈（図１の例では橈骨動脈Ｔ）が内部に存在する生体部位（図１の例では利用者Ｈの手首）に装着可能である。
【手続補正５】
【補正対象書類名】明細書
【補正対象項目名】００１７
【補正方法】変更
【補正の内容】
【００１７】
図２は、図１に示す圧脈波検出部１００の拡大図である。図３は、図１に示す装着状態での圧脈波検出部１００を利用者Ｈの指先側から見た図である。図４は、図１に示す装着状態での圧脈波検出部１００を手首との接触部位側から見た図である。図１〜図４は、圧脈波検出部１００を模式的に示したものであり、各部の寸法や配置等を限定するものではない。
【手続補正６】
【補正対象書類名】明細書
【補正対象項目名】００４７
【補正方法】変更
【補正の内容】
【００４７】
以下、本実施形態の血圧測定装置の動作について説明する。本実施形態の血圧測定装置は、１拍毎に血圧値（ＳＢＰ（Ｓｙｓｔｏｌｉｃ  Ｂｌｏｏｄ  ｐｒｅｓｓｕｒｅ）、いわゆる最高血圧と、ＤＢＰ（Ｄｉａｓｔｏｌｉｃ  Ｂｌｏｏｄ  ｐｒｅｓｓｕｒｅ）、いわゆる最低血圧）を測定して表示部１３に表示する連続血圧測定モードを有する。
【手続補正７】
【補正対象書類名】明細書
【補正対象項目名】００６１
【補正方法】変更
【補正の内容】
【００６１】
各圧力センサ６ａにより検出された圧脈波の振幅平均値を６Ａとし、各圧力センサ７ａにより検出された圧脈波の振幅平均値を７Ａとすると、図７（ａ）の状態では、６Ａと７Ａの比である（６Ａ／７Ａ）は１よりも十分に大きくなる。この状態で、圧力センサ６ａからなる素子列を橈骨動脈Ｔに近づければ、（６Ａ／７Ａ）は１に近づく（図７（ｂ）参照）。
【手続補正８】
【補正対象書類名】明細書
【補正対象項目名】００６４
【補正方法】変更
【補正の内容】
【００６４】
そして、制御部１２は、平均値６Ａと平均値７Ａのどちらが大きいかを判定し、平均値６Ａが大きい場合には、圧力センサ６ａからなる素子列と橈骨動脈Ｔとの距離を縮めるべく、回転軸Ｙ周りの回動部５の回転方向を図７において反時計回りに設定する。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
一方向に並ぶ複数の圧力検出素子からなる少なくとも１つの素子列が形成された押圧面と、
前記一方向が生体の皮膚下の動脈の伸びる方向と交差する状態で前記動脈に前記押圧面を押圧する押圧部と、
前記押圧部により前記押圧面を前記動脈に押圧した状態で前記素子列により検出される圧脈波に基づいて、前記動脈内の血圧値を算出する血圧算出部と、
前記押圧部の押圧方向に直交する２つの軸であって前記一方向に伸びる第一の軸と前記一方向と直交する第二の軸のうち、少なくとも前記第二の軸の周りに前記押圧面を回転駆動する回転駆動部と、
前記回転駆動部による前記押圧面の前記第二の軸の周りの回転量を制御する回転制御部と、を備える血圧測定装置。
【請求項２】
請求項１記載の血圧測定装置であって、
前記回転駆動部は、更に、前記第一の軸の周りに前記押圧面を回転駆動し、
前記回転制御部は、前記回転駆動部による前記押圧面の前記第一の軸の周りの回転量と、前記回転駆動部による前記押圧面の前記第二の軸の周りの回転量とをそれぞれ制御する血圧測定装置。
【請求項３】
請求項２記載の血圧測定装置であって、
前記押圧面には、前記第二の軸の伸びる方向に２つの前記素子列が並べて形成され、
前記第一の軸は、前記押圧面に平行な面上で、前記２つの素子列の間に設けられた軸である血圧測定装置。
【請求項４】
請求項２記載の血圧測定装置であって、
前記押圧面には、前記第二の軸の伸びる方向に２つの前記素子列が並べて形成され、
前記第一の軸は、前記押圧面に平行な面上で、前記２つの素子列よりも前記第二の軸の伸びる方向において外側に設けられた軸である血圧測定装置。
【手続補正２】
【補正対象書類名】明細書
【補正対象項目名】００１２
【補正方法】変更
【補正の内容】
【００１２】
本発明の血圧測定装置は、一方向に並ぶ複数の圧力検出素子からなる少なくとも１つの素子列が形成された押圧面と、前記一方向が生体の皮膚下の動脈の伸びる方向と交差する状態で前記動脈に前記押圧面を押圧する押圧部と、前記押圧部により前記押圧面を前記動脈に押圧した状態で前記素子列により検出される圧脈波に基づいて、前記動脈内の血圧値を算出する血圧算出部と、前記押圧部の押圧方向に直交する２つの軸であって前記一方向に伸びる第一の軸と前記一方向と直交する第二の軸のうち、少なくとも前記第二の軸の周りに前記押圧面を回転駆動する回転駆動部と、前記回転駆動部による前記押圧面の前記第二の軸の周りの回転量を制御する回転制御部と、を備えるものである。
【手続補正３】
【補正対象書類名】明細書
【補正対象項目名】００１６
【補正方法】変更
【補正の内容】
【００１６】
図１は、本発明の一実施形態を説明するための血圧測定装置の圧脈波検出部１００の構成を示す外観図である。本実施形態の血圧測定装置は、図示しないベルトにより、血圧測定対象となる動脈（図１の例では橈骨動脈Ｔ）が内部に存在する生体部位（図１の例では利用者Ｈの手首）に装着可能である。
【手続補正４】
【補正対象書類名】明細書
【補正対象項目名】００１７
【補正方法】変更
【補正の内容】
【００１７】
図２は、図１に示す圧脈波検出部１００の拡大図である。図３は、図１に示す装着状態での圧脈波検出部１００を利用者Ｈの指先側から見た図である。図４は、図１に示す装着状態での圧脈波検出部１００を手首との接触部位側から見た図である。図１〜図４は、圧脈波検出部１００を模式的に示したものであり、各部の寸法や配置等を限定するものではない。
【手続補正５】
【補正対象書類名】明細書
【補正対象項目名】００４７
【補正方法】変更
【補正の内容】
【００４７】
以下、本実施形態の血圧測定装置の動作について説明する。本実施形態の血圧測定装置は、１拍毎に血圧値（ＳＢＰ（Ｓｙｓｔｏｌｉｃ  Ｂｌｏｏｄ  ｐｒｅｓｓｕｒｅ）、いわゆる最高血圧と、ＤＢＰ（Ｄｉａｓｔｏｌｉｃ  Ｂｌｏｏｄ  ｐｒｅｓｓｕｒｅ）、いわゆる最低血圧）を測定して表示部１３に表示する連続血圧測定モードを有する。
【手続補正６】
【補正対象書類名】明細書
【補正対象項目名】００６１
【補正方法】変更
【補正の内容】
【００６１】
各圧力センサ６ａにより検出された圧脈波の振幅平均値を６Ａとし、各圧力センサ７ａにより検出された圧脈波の振幅平均値を７Ａとすると、図７（ａ）の状態では、６Ａと７Ａの比である（６Ａ／７Ａ）は１よりも十分に大きくなる。この状態で、圧力センサ６ａからなる素子列を橈骨動脈Ｔに近づければ、（６Ａ／７Ａ）は１に近づく（図７（ｂ）参照）。
【手続補正７】
【補正対象書類名】明細書
【補正対象項目名】００６４
【補正方法】変更
【補正の内容】
【００６４】
そして、制御部１２は、平均値６Ａと平均値７Ａのどちらが大きいかを判定し、平均値６Ａが大きい場合には、圧力センサ６ａからなる素子列と橈骨動脈Ｔとの距離を縮めるべく、回転軸Ｙ周りの回動部５の回転方向を図７において反時計回りに設定する。
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
遊技領域に設けられた始動領域を遊技媒体が通過したことに基づいて抽選を行ない、該抽選の結果が所定の結果である場合に、通常遊技状態よりも遊技者にとって有利な特別遊技状態に制御し、前記特別遊技状態にて遊技媒体が特定領域を通過した場合に、所定の遊技利益を付与し得る遊技機であって、
前記特定領域を遊技媒体が通過する可能性の異なる複数態様で前記特別遊技状態を制御し得る特別遊技状態制御手段と、
前記特別遊技状態にて所定条件が成立した場合に、所定の演出制御を行う周辺制御手段と、
を備え、
前記特別遊技状態制御手段は、前記特定領域を遊技媒体が通過する可能性の低い通過困難態様で前記特別遊技状態を制御する場合と、前記特定領域を遊技媒体が通過する可能性の高い通過容易態様で前記特別遊技状態を制御する場合とを有するものであって、
前記始動領域のうちの第１の始動領域を遊技媒体が通過したことに基づく抽選が行われた場合には、前記始動領域のうちの第２の始動領域を遊技媒体が通過したことに基づく抽選が行われた場合よりも、前記特別遊技状態制御手段によって前記通過困難態様で前記特別遊技状態が制御され得る可能性が高く、且つ、前記通過容易態様で前記特別遊技状態が制御され得る可能性が低いものであり、
前記周辺制御手段は、
前記通過困難態様で制御された前記特別遊技状態にて前記特定領域を遊技媒体が通過した場合には、前記通過容易態様で制御された前記特別遊技状態にて前記特定領域を遊技媒体が通過した場合とは異なる態様で前記特定領域の通過を知らせる異常報知制御を行うものであり、
前記異常報知制御を行っている間に、前記第１の始動領域を遊技媒体が通過したことに基づく抽選、又は、前記第２の始動領域を遊技媒体が通過したことに基づく抽選が行われても、前記異常報知制御を継続するものであって、
さらに、前記第１の始動領域を遊技媒体が通過したことに基づく抽選の結果、又は、前記第２の始動領域を遊技媒体が通過したことに基づく抽選の結果に対応して所定の図柄表示部で行われる特定の図柄変動の視認性を阻害しない態様で、前記異常報知制御を実行する
ことを特徴とする遊技機。
【手続補正２】
【補正対象書類名】明細書
【補正対象項目名】０００４
【補正方法】変更
【補正の内容】
【０００４】
上記遊技機は、特定領域に対する遊技球の入球の難易を抽選結果に基づいて変えるようにして、所定の遊技利益に対する期待が増減するように構成されているものの、なんらかの異常や不正が生じ遊技利益の付与態様が想定と異なるものになると、遊技者や遊技場運営事業者に不利益および不信感を与えてしまう虞があった。本発明は、係る課題を解決するために、遊技球が特定領域を通過した場合に所定の遊技利益を付与可能な遊技機において、遊技者や遊技場運営事業者に不利益や不信感を与えることを抑制する遊技機を提供することを目的とする。
【手続補正３】
【補正対象書類名】明細書
【補正対象項目名】０００５
【補正方法】変更
【補正の内容】
【０００５】
前記目的を達成するために、本発明は、
遊技領域に設けられた始動領域を遊技媒体が通過したことに基づいて抽選を行ない、該抽選の結果が所定の結果である場合に、通常遊技状態よりも遊技者にとって有利な特別遊技状態に制御し、前記特別遊技状態にて遊技媒体が特定領域を通過した場合に、所定の遊技利益を付与し得る遊技機であって、
前記特定領域を遊技媒体が通過する可能性の異なる複数態様で前記特別遊技状態を制御し得る特別遊技状態制御手段と、
前記特別遊技状態にて所定条件が成立した場合に、所定の演出制御を行う周辺制御手段と、
を備え、
前記特別遊技状態制御手段は、前記特定領域を遊技媒体が通過する可能性の低い通過困難態様で前記特別遊技状態を制御する場合と、前記特定領域を遊技媒体が通過する可能性の高い通過容易態様で前記特別遊技状態を制御する場合とを有するものであって、
前記始動領域のうちの第１の始動領域を遊技媒体が通過したことに基づく抽選が行われた場合には、前記始動領域のうちの第２の始動領域を遊技媒体が通過したことに基づく抽選が行われた場合よりも、前記特別遊技状態制御手段によって前記通過困難態様で前記特別遊技状態が制御され得る可能性が高く、且つ、前記通過容易態様で前記特別遊技状態が制御され得る可能性が低いものであり、
前記周辺制御手段は、
前記通過困難態様で制御された前記特別遊技状態にて前記特定領域を遊技媒体が通過した場合には、前記通過容易態様で制御された前記特別遊技状態にて前記特定領域を遊技媒体が通過した場合とは異なる態様で前記特定領域の通過を知らせる異常報知制御を行うものであり、
前記異常報知制御を行っている間に、前記第１の始動領域を遊技媒体が通過したことに基づく抽選、又は、前記第２の始動領域を遊技媒体が通過したことに基づく抽選が行われても、前記異常報知制御を継続するものであって、
さらに、前記第１の始動領域を遊技媒体が通過したことに基づく抽選の結果、又は、前記第２の始動領域を遊技媒体が通過したことに基づく抽選の結果に対応して所定の図柄表示部で行われる特定の図柄変動の視認性を阻害しない態様で、前記異常報知制御を実行する
ことを特徴とする。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明によれば、不利益や不信感を与えることを抑制する遊技機を提供することができる。
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
記録媒体を搬送する搬送手段と、
前記記録媒体の搬送方向に対し一定間隔をあけて並列に配置され前記記録媒体上にインク滴を吐出するための吐出口を有する複数のヘッドユニットと、
前記複数のヘッドユニットのうちの少なくとも２つのヘッドユニットにそれぞれ対応させて配置され前記記録媒体の搬送方向に垂直な方向における前記記録媒体の端部位置である記録媒体端部位置を検出する複数のエッジセンサと、
対応する前記エッジセンサが配置されているヘッドユニットのうち少なくとも１つのヘッドユニットを前記記録媒体の搬送方向に直交する方向に移動させるアクチュエータと、
前記アクチュエータを制御する制御部とを備えた画像形成装置において、
前記複数のエッジセンサを介してそれぞれ読み取った前記記録媒体端部位置の情報に基づいて予め生成した基準値を記憶するメモリを備え、前記制御部が、前記エッジセンサを介して読み取った前記記録媒体端部位置と基準値とを用いて前記アクチュエータを制御し前記アクチュエータを有するヘッドユニットの位置を補正するようにしたことを特徴とする画像形成装置。
【請求項２】
請求項１に記載の画像形成装置において、
対応する前記エッジセンサが配置されているヘッドユニットのうち前記アクチュエータを有しないものがあればそのうちの１つを基準ヘッドユニットとし、対応する前記エッジセンサが配置されているヘッドユニットのうち前記アクチュエータを有しないものがなければ前記アクチュエータを有するヘッドユニットのうちの１つを基準ヘッドユニットとし、前記記録媒体の搬送が安定している状態の判断は、前記制御部が、前記アクチュエータを有するヘッドユニットのうち前記基準ヘッドユニットでないものに対応させて配置された前記エッジセンサを介して読み取った前記記録媒体端部位置と前記基準ヘッドユニットに対応して配置されたエッジセンサを介して読み取った前記記録媒体端部位置との差分を算出し、前記差分の変動幅が所定の時間に亘り所定の閾値の範囲内に収まっているかどうかを判断することによって行い、前記記録媒体の搬送が安定している状態における前記記録媒体端部位置の情報に基づいて前記基準値を生成することを特徴とする画像形成装置。
【請求項３】
請求項１または２のいずれかに記載の画像形成装置において、
前記エッジセンサが、対応する前記ヘッドユニットの前記記録媒体の搬送方向上流側に配置されたことを特徴とする画像形成装置。
【請求項４】
請求項２に記載の画像形成装置において、
前記差分の変動幅が所定の時間に亘り所定の閾値の範囲内に収まっている状態かどうかの判断において、所定の判断期間を超えても、前記記録媒体の搬送が安定しているとの判断結果が得られない場合には、エラー表示をするようにしたことを特徴とする画像形成装置。
【請求項５】
請求項２または４のいずれかに記載の画像形成装置において、
前記閾値は、色間の平均値からのずれが±３σ以下の範囲に含まれるようにしたときの平均値に対する許容ずれ量により決めることを特徴とする画像形成装置。
【手続補正２】
【補正対象書類名】明細書
【補正対象項目名】０００６
【補正方法】変更
【補正の内容】
【０００６】
上述した課題を解決するために、本発明は、記録媒体を搬送する搬送手段と、前記記録媒体の搬送方向に対し一定間隔をあけて並列に配置され前記記録媒体上にインク滴を吐出するための吐出口を有する複数のヘッドユニットと、前記複数のヘッドユニットのうちの少なくとも２つのヘッドユニットにそれぞれ対応させて配置され前記記録媒体の搬送方向に垂直な方向における前記記録媒体の端部位置である記録媒体端部位置を検出する複数のエッジセンサと、対応する前記エッジセンサが配置されているヘッドユニットのうち少なくとも１つのヘッドユニットを前記記録媒体の搬送方向に直交する方向に移動させるアクチュエータと、前記アクチュエータを制御する制御部とを備えた画像形成装置において、前記複数のエッジセンサを介してそれぞれ読み取った前記記録媒体端部位置の情報に基づいて予め生成した基準値を記憶するメモリを備え、前記制御部が、前記エッジセンサを介して読み取った前記記録媒体端部位置と基準値とを用いて前記アクチュエータを制御し前記アクチュエータを有するヘッドユニットの位置を補正するようにしたことを特徴とするものである。
【手続補正書】
【提出日】平成29年9月25日(2017.9.25)
【手続補正１】
【補正対象書類名】特許請求の範囲
【補正対象項目名】全文
【補正方法】変更
【補正の内容】
【特許請求の範囲】
【請求項１】
縦方向及び横方向と、縦中心線と、横中心線と、透液性の表面層と、不透液性の裏面層と、前記表裏面層間に介在する吸液層とを含む吸収性物品において、
前記吸液層は、前記縦方向において互いに対向する第１及び第２端域を有し、
前記第１及び第２端域のうちの少なくとも前記第１端域は、前記縦中心線を挟んで対向する第１及び第２側方部と、前記第１及び第２側方部の少なくとも一方に配置された前記吸液層を貫通する少なくとも１つのスリット状の第１分離部とを有し、
前記第１分離部は、前記縦中心線側に位置する内端と外端とを有し、前記内外端を通る仮想線が前記縦中心線に対して斜めに延びており、前記仮想線と前記縦中心線との交角のうちの前記横中心線と向かい合う交角が鋭角であることを特徴とする吸収性物品。
【請求項２】
前記第１分離部は、前記第１側方部と前記第２側方部とに前記横方向において互いに対向するように配置される請求項１に記載の吸収性物品。
【請求項３】
前記横中心線と向かい合う前記交角が約５０〜８０度である請求項１又は２に記載の吸収性物品。
【請求項４】
前記第１端域は、複数の前記第１分離部から構成された、前記縦中心線に対して斜めに延びる少なくとも１つの分離ユニットを有し、前記分離ユニットにおいて隣り合う前記第１分離部どうしの一部が前記縦方向と前記横方向とに傾斜する方向において互いに重なるように配置される請求項１〜３のいずれかに記載の吸収性物品。
【請求項５】
前記第１分離部は、湾曲状であって、隣り合う分離部分どうしが互いに反対方向へ湾曲している請求項４に記載の吸収性物品。
【請求項６】
前記第１端域には、前記縦中心線上に位置し、前記縦方向の外側へ凸となる形状を有する前記吸液層を貫通するスリット状の第２分離部が配置される請求項１〜５のいずれかに記載の吸収性物品。
【請求項７】
前記吸液層は、前記第１端域と前記第２端域との間に位置する中間域をさらに有し、前記中間域には、前記吸液層を貫通するスリット状の複数の第３及び第４分離部が配置されており、前記第３分離部は、互いに前記縦方向において離間して位置し、前記縦中心線と交差して前記横方向へ延びており、前記第４分離部は、前記第３分離部間において前記吸液層の側縁から前記縦中心線へ向かって延び、かつ、前記縦中心線を挟んで対向して位置する請求項６に記載の吸収性物品。
【請求項８】
前記第１及び第４分離部は、前記縦中心線に関して対称に位置し、前記第２及び第３分離部は、前記縦中心線に関して対称の形状を有する請求項７に記載の吸収性物品。
【請求項９】
前記吸液層は、吸収性コアと、前記吸収性コアを包被するコアラップシートとを有し、前記コアラップシートは、伸長性を有するシートから形成される請求項１〜８のいずれかに記載の吸収性物品。
【請求項１０】
前記吸液層の前記表面層又は前記裏面層には、前記第１分離部に沿って着色がされている請求項１〜９のいずれかに記載の吸収性物品。
【請求項１１】
前記表面層及び前記裏面層のうちの少なくとも一方が、伸長性を有するシートから形成される請求項１〜１０のいずれかに記載の吸収性物品。
【請求項１２】
前記表面層及び前記裏面層のうちの少なくとも一方が、伸縮性を有するシートから形成される請求項１〜１１のいずれかに記載の吸収性物品。
【手続補正２】
【補正対象書類名】明細書
【補正対象項目名】０００９
【補正方法】変更
【補正の内容】
【０００９】
本発明に係る吸収性物品は、吸液層の第１及び第２端域のうちの少なくとも第１端域において、第１及び第２側方部の少なくとも１方に第１分離部が少なくとも１つ配置されていることから、着用者の歩行時等においてショーツが縦方向と横方向とに傾斜する方向へ引っ張られたときであっても、ショーツの動きに追従することができ、着用者に着用していることによる異物感を与えるおそれはない。
【手続補正３】
【補正対象書類名】明細書
【補正対象項目名】００４７
【補正方法】変更
【補正の内容】
【００４７】
縦方向及び横方向と、縦中心線と、横中心線と、透液性の表面層と、不透液性の裏面層と、前記表裏面層間に介在する吸液層とを含む吸収性物品において、前記吸液層は、前記縦方向において互いに対向する第１及び第２端域を有し、前記第１及び第２端域のうちの少なくとも前記第１端域は、前記縦中心線を挟んで対向する第１及び第２側方部と、前記第１及び第２側方部の少なくとも一方に配置された前記吸液層を貫通する少なくとも１つのスリット状の第１分離部とを有し、前記第１分離部は、前記縦中心線側に位置する内端と外端とを有し、前記内外端を通る仮想線が前記縦中心線に対して斜めに延びており、前記仮想線と前記縦中心線との交角のうちの前記横中心線と向かい合う交角が鋭角であることを特徴とする。
【手続補正４】
【補正対象書類名】明細書
【補正対象項目名】００４８
【補正方法】変更
【補正の内容】
【００４８】
上記段落００４７に開示した本発明は、少なくとも下記の実施の形態を含むことができる。
（１）前記第１分離部は、前記第１側方部と前記第２側方部とに前記横方向において互いに対向するように配置される。
（２）前記横中心線と向かい合う前記交角が約５０〜８０度である。
（３）前記第１端域は、複数の前記第１分離部から構成された、前記縦中心線に対して斜めに延びる少なくとも１つの分離ユニットを有し、前記分離ユニットにおいて隣り合う前記第１分離部どうしの一部が前記縦方向と前記横方向とに傾斜する方向において互いに重なるように配置される。
（４）前記第１分離部は、湾曲状であって、隣り合う分離部分どうしが互いに反対方向へ湾曲している。
（５）前記第１端域には、前記縦中心線上に位置し、前記縦方向の外側へ凸となる形状を有する前記吸液層を貫通するスリット状の第２分離部が配置される。
（６）前記吸液層は、前記第１端域と前記第２端域との間に位置する中間域をさらに有し、前記中間域には、前記吸液層を貫通するスリット状の複数の第３及び第４分離部が配置されており、前記第３分離部は、互いに前記縦方向において離間して位置し、前記縦中心線と交差して前記横方向へ延びており、前記第４分離部は、前記第３分離部間において前記吸液層の側縁から前記縦中心線へ向かって延び、かつ、前記縦中心線を挟んで対向して位置する。
（７）前記第１及び第４分離部は、前記縦中心線に関して対称に位置し、前記第２及び第３分離部は、前記縦中心線に関して対称の形状を有する。
（８）前記吸液層は、吸収性コアと、前記吸収性コアを包被するコアラップシートとを有し、前記コアラップシートは、伸長性を有するシートから形成される。
（９）前記吸液層の前記表面側又は前記裏面側には、前記第１分離部に沿って着色がされている。
（１０）前記表面層及び前記裏面層のうちの少なくとも一方が、伸長性を有するシートから形成される。
（１１）前記前記表面層及び前記裏面層のうちの少なくとも一方が、伸縮性を有するシートから形成される。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域を有する遊技機において、
遊技演出を表示する演出表示手段と、
前記演出表示手段とは個別に設けられ、複数の遊技情報を表示する第１表示手段と、
前記演出表示手段及び前記第１表示手段とは個別に設けられ、複数の遊技情報を表示する第２表示手段とを備え、
前記第１表示手段が表示する複数の遊技情報、及び前記第２表示手段が表示する複数の遊技情報は、共通の遊技情報を夫々含み、
前記第２表示手段は、前記遊技領域を流下する遊技球が転動可能なステージを有する部材に配置されたことを特徴とする遊技機。
【手続補正２】
【補正対象書類名】明細書
【補正対象項目名】０００１
【補正方法】変更
【補正の内容】
【０００１】
本発明は遊技機に関し、特に複数の遊技情報を表示する表示手段に関するものである。
【手続補正３】
【補正対象書類名】明細書
【補正対象項目名】０００２
【補正方法】変更
【補正の内容】
【０００２】
従来、パチンコ遊技機においては、遊技領域に多数の障害釘と入賞口（始動口等）が設けられ、遊技領域に発射された複数の遊技球は障害釘に接触し方向を変えてばらついて流下し、それら複数の遊技球のうちある程度の割合の遊技球が入賞口に入賞することになる（例えば、特許文献１参照）。特許文献１の遊技機では、遊技盤に装着された画像表示器に、演出図柄や演出画像が表示され、遊技領域外に装着された遊技表示盤が、特別図柄表示器、普通図柄表示器、特別図柄保留ランプ、普通図柄保留ランプを備えている。
【手続補正４】
【補正対象書類名】明細書
【補正対象項目名】０００４
【補正方法】変更
【補正の内容】
【０００４】
特許文献１の遊技機では、遊技領域外に装着された遊技表示盤によって、図柄の変動や保留数等の遊技情報が表示される。
本発明の目的は、複数の遊技情報を夫々表示する第１，第２表示手段を個別に設け、第２表示手段をステージを有する部材に配置した遊技機を提供することである。
【手続補正５】
【補正対象書類名】明細書
【補正対象項目名】０００５
【補正方法】変更
【補正の内容】
【０００５】
第１の発明は、遊技球が流下可能な遊技領域(4a)を有する遊技機(1) において、遊技演出を表示する演出表示手段(21)と、前記演出表示手段(21)とは個別に設けられ、複数の遊技情報を表示する第１表示手段(25)と、前記演出表示手段(21)及び前記第１表示手段(25)とは個別に設けられ、複数の遊技情報を表示する第２表示手段(28)とを備え、前記第１表示手段(25)が表示する複数の遊技情報、及び前記第２表示手段(28)が表示する複数の遊技情報は、共通の遊技情報を夫々含み、前記第２表示手段(28)は、前記遊技領域(4a)を流下する遊技球が転動可能なステージ(47a) を有する部材(47)に配置されたことを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】変更
【補正の内容】
【０００８】
本発明によれば、複数の遊技情報を夫々表示する第１，第２表示手段を個別に設け、第２表示手段をステージを有する部材に配置した遊技機を提供することができる。
【手続補正書】
【提出日】平成29年5月28日(2017.5.28)
【手続補正１】
【補正対象書類名】特許請求の範囲
【補正対象項目名】全文
【補正方法】変更
【補正の内容】
【特許請求の範囲】
【請求項１】
空気または水が流通する孔部を側面に配した改質器筐体と、
前記改質器筐体の内側面付近に相互に離間して配される第１の電極と第２の電極と、
前記第１の電極と前記第２の電極との間に配置される複数個の絶縁性ボールまたはサンゴ砂と、
前記第１の電極と前記第２の電極との各々に接続する第１の導電線と第２の導電線と、
を備える改質器本体。
【請求項２】
空気が流通する孔部を側面に配した改質器筐体と、
前記改質器筐体の内側面付近に相互に離間して配される第１の電極と第２の電極と、
前記第１の電極と前記第２の電極との間に配置される複数個の絶縁性ボールまたはサンゴ砂と、
前記第１の電極と前記第２の電極との各々に接続する第１の導電線と第２の導電線と、
を有する改質器本体を備え、
前記第１の導電線と前記第２の導電線との間に直流電圧または交流電圧を印加する、
空気改質器。
【請求項３】
水が流通する孔部を側面に配した改質器筐体と、
前記改質器筐体の内側面付近に相互に離間して配される第１の電極と第２の電極と、
前記第１の電極と前記第２の電極との間に配置される複数個の絶縁性ボールまたはサンゴ砂と、
前記第１の電極と前記第２の電極との各々に接続する第１の導電線と第２の導電線と、
を有する改質器本体を備え、
前記第１の導電線と前記第２の導電線との間に交流電圧を印加する、
水改質器。
【手続補正２】
【補正対象書類名】明細書
【補正対象項目名】００１６
【補正方法】変更
【補正の内容】
【００１６】
図１(A)に示す改質器筐体10は、電気的絶縁材料であるアクリル、PVC、PC、POM、塩化ビニール等の樹脂で一体形成されている。改質器筐体10は筒状形状であり、筒状形状の一端の円板状の底部14と筒状形状の他端の開口部とを有する。改質器筐体10の各部寸法は、例えば、以下である。開口部の直径L1は5cm、高さＬ2は4cm、リング状の肉厚部11の厚みＬ3は2mm、肉薄部12の厚みは1mmである。肉厚部11と肉薄部12とから成る長さL4の１層が、最上部の第１層目から最下部の第５層目まで積層されている。第５層目の肉薄部12の最下部には強度を増すために図1（A）に示すように肉厚部11を配するようにしてもよい。肉厚部11を配する場合には底部14は肉厚部11の最下部に形成され、肉厚部11を配しない場合には底部14は肉薄部12の最下部に形成される。肉厚部11と肉薄部12とを交互に配置する理由は、強度を保ちながら軽量化を図るためである。肉薄部12には横方向に長いスリット状の孔部13が配されている。スリット状の孔部13の短手方向の孔径は3mm、スリット状の孔部13の長手方向の孔径は12mm、孔部13の間隔は24mmである。肉薄部12に孔部13を配したのはドリル、型抜き治具等によって容易に孔部13を形成できるようにするためである。
【手続補正３】
【補正対象書類名】明細書
【補正対象項目名】００３３
【補正方法】変更
【補正の内容】
【００３３】
＜実験例７＞
500l(リットル)の農業用ポリタンクに水を満タン状態となるように入れて、改質器本体2をこの農業用ポリタンクに入れ、第1の導電線33、第2の導電線34に印加する電圧として交流電圧12Vを印加して、外気温度30度〜外気温度35度の露地で三か月放置したところ、アオコも出ず水は腐敗もしなかったので、実験は三か月で停止した。一方、同時に、改質器本体2を農業用ポリタンクに入れることなく、同一条件で、すなわち、500l(リットル)の農業用ポリタンクに水を満タン状態となるように入れて、外気温度30度〜外気温度35度の露地で三か月放置したところ、アオコで覆い尽くされ、水は腐敗した。
【手続補正４】
【補正対象書類名】明細書
【補正対象項目名】００４４
【補正方法】変更
【補正の内容】
【００４４】
＜実験例12＞
スリランカ民主社会主義共和国（Democratic Socialist republic of Sri Lanka）のクルネガラ(kurunegala)市アラウワ（ALAWWA）村において、水改質の実証試験をおこなった。改質前の水はマオヤ（maoya）河から採取した。図5はマオヤ河の水質を示すための写真である。図5（A）はマオヤ河の流域の写真である。図5（A）の中央部の樹木がない部分がマオヤ河であり、図5（A）の右下部は廃棄物の山である。図5（B）はポリバケツに入れたマオヤ河の水の写真である。図5（B）を見ると、汚染水の汚染度が、汚染水によってポリバケツの内容物が何であるか視認することができない程高いことが分かる。なお、図5（B）は、図7（B）と同じ写真である。
【手続補正書】
【提出日】平成29年7月6日(2017.7.6)
【手続補正１】
【補正対象書類名】特許請求の範囲
【補正対象項目名】全文
【補正方法】変更
【補正の内容】
【特許請求の範囲】
【請求項１】
遊技媒体が移動する遊技領域を備え、前記遊技領域における遊技媒体の移動状況に応じて遊技媒体を払い出す遊技機であって、
本体に対して開閉可能に設けられた扉体を備え、
前記扉体は、
前方に突出した突出部と、
演出を実行する演出装置と、
前記演出装置を制御する演出制御基板と、
前記突出部の内部において前記演出制御基板を受け入れる受入空間と、
を備え、
前記演出制御基板は、
前記扉体が前記本体に対して開いた状態で前記受入空間に着脱自在に受け入れられることを特徴とする遊技機。
【請求項２】
請求項１において、
前記受入空間は、
前記突出部の内部において水平方向に設けられ、前記演出制御基板を水平方向に受け入れることを特徴とする遊技機。
【請求項３】
請求項１または２において、
前記演出装置は、
前記扉体の前記突出部とは異なる部分に設けられていることを特徴とする遊技機。
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
体腔に挿入される硬性の挿入部の先端に、前記挿入部の軸方向に対して、その光軸が所定の角度をなす対物レンズが設けられ、基端にヘッド部が設けられ、前記ヘッド部の動きの角速度を検出するジャイロ部が前記ヘッド部に設けられている内視鏡装置と、
検出された前記角速度に基づいて、前記内視鏡装置から入力される、前記対物レンズによって集光された光学像に対応する画像信号の有効画素エリアから切り出しエリアを切り出すことにより、前記画像信号の手振れを補正する補正部とが設けられている画像処理装置と
を含む内視鏡システム。
【請求項２】
前記内視鏡装置は、前記挿入部の軸方向に対して、その光軸が所定の角度からなる斜視角をなす対物レンズを有する斜視鏡である
請求項１に記載の内視鏡システム。
【請求項３】
前記斜視角は、３０度、および７０度を含む
請求項２に記載の内視鏡システム。
【請求項４】
前記画像処理装置は、
前記画像信号に基づいて、前記斜視角を測定する
請求項１乃至３のいずれかに記載の内視鏡システム。
【請求項５】
前記画像処理装置は、
検出された前記角速度を時間方向に平準化する角速度平準化部をさらに備える
請求項１乃至４のいずれかに記載の内視鏡システム。
【請求項６】
前記画像処理装置は、
手振れ補正済みの前記画像信号のローリングシャッタ歪を除去する歪除去部をさらに備える
請求項１乃至５のいずれかに記載の内視鏡システム。
【請求項７】
体腔に挿入される硬性の挿入部の先端に、前記挿入部の軸方向に対して、その光軸が所定の角度をなす対物レンズが設けられ、基端にヘッド部が設けられ、前記ヘッド部の動きの角速度を検出するジャイロ部が前記ヘッド部に設けられている内視鏡装置により検出された前記角速度に基づいて、前記内視鏡装置から入力される、前記対物レンズによって集光された光学像に対応する画像信号の有効画素エリアから切り出しエリアを切り出すことにより、前記画像信号の手振れを補正する補正部を含む
画像処理装置。
【請求項８】
体腔に挿入される硬性の挿入部の先端に、前記挿入部の軸方向に対して、その光軸が所定の角度をなす対物レンズが設けられ、基端にヘッド部が設けられ、前記ヘッド部の動きの角速度を検出するジャイロ部が前記ヘッド部に設けられている内視鏡装置から入力される、前記対物レンズによって集光された光学像に対応する画像信号を処理する画像処理装置に画像処理方法において、
検出された前記角速度に基づいて、前記対物レンズによって集光された光学像に対応する画像信号の有効画素エリアから切り出しエリアを切り出すことにより、前記画像信号の手振れを補正する
ステップを含む画像処理方法。
【請求項９】
体腔に挿入される硬性の挿入部の先端に、前記挿入部の軸方向に対して、その光軸が所定の角度をなす対物レンズが設けられ、基端にヘッド部が設けられ、前記ヘッド部の動きの角速度を検出するジャイロ部が前記ヘッド部に設けられている内視鏡装置から入力される、前記対物レンズによって集光された光学像に対応する画像信号を処理する画像処理装置を制御するコンピュータを、
検出された前記角速度に基づいて、前記対物レンズによって集光された光学像に対応する画像信号の有効画素エリアから切り出しエリアを切り出すことにより、前記画像信号の手振れを補正する補正部
として機能させるプログラム。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
被検体に光を照射する光照射部と、
前記被検体に向けて超音波を送信する送信素子と、
複数のトランスデューサであって、それぞれが、前記光照射部からの照射光が前記被検体に照射されることにより発生する第一の音響波を検出して第一の電気信号を出力するとともに、前記送信素子から送信された前記超音波が前記被検体で反射されてできた第二の音響波を検出して第二の電気信号を出力する、複数のトランスデューサと、
前記複数のトランスデューサの指向軸が集まるように、前記複数のトランスデューサを支持する支持体と、
前記第一の電気信号と前記第二の電気信号のそれぞれに基づいて前記被検体の特性情報を取得する処理部と、
を有することを特徴とする被検体情報取得装置。
【請求項２】
移動領域内で前記支持体を前記被検体に対して相対的に移動させる移動部をさらに有する
ことを特徴とする請求項１に記載の被検体情報取得装置。
【請求項３】
前記処理部は、前記移動領域内の複数の位置で取得された前記第一の電気信号および前記第二の電気信号のそれぞれに基づいて前記特性情報を取得する
ことを特徴とする請求項２に記載の被検体情報取得装置。
【請求項４】
前記移動部は、前記支持体を渦巻き状に移動させる
ことを特徴とする請求項２または３に記載の被検体情報取得装置。
【請求項５】
前記支持体は、半球状に前記複数のトランスデューサを支持するとともに、曲率中心を有し、
前記曲率中心は、前記指向軸が集まる領域と重なる
ことを特徴とする請求項１乃至４のいずれか１項に記載の被検体情報取得装置。
【請求項６】
前記支持体は、前記照射光と、前記指向軸が集まる領域とが重なるように、前記光照射部を支持している
ことを特徴とする請求項１乃至５のいずれか１項に記載の被検体情報取得装置。
【請求項７】
前記支持体は、前記送信素子から送信された前記超音波と、前記指向軸が集まる領域とが重なるように、前記送信素子を支持している
ことを特徴とする請求項１乃至６のいずれか１項に記載の被検体情報取得装置。
【請求項８】
前記第一の音響波は前記被検体で発生した光音響波であり、前記第二の音響波は前記被検体で反射された超音波エコー信号である
ことを特徴とする請求項１乃至７のいずれか１項に記載の被検体情報取得装置。
【請求項９】
前記光照射部は、前記光を発生する光源に光学的に結合されている
ことを特徴とする請求項１乃至８のいずれか１項に記載の被検体情報取得装置。
【請求項１０】
前記光源は、パルス光を発生する
ことを特徴とする請求項９に記載の被検体情報取得装置。
【請求項１１】
前記送信素子は、入力された電気信号に応じて前記超音波を前記被検体に向けて送信する素子である
ことを特徴とする請求項１乃至１０のいずれか１項に記載の被検体情報取得装置。
【請求項１２】
前記複数のトランスデューサは、前記送信素子とは別に設けられている
ことを特徴とする請求項１乃至１１のいずれか１項に記載の被検体情報取得装置。
【請求項１３】
前記複数のトランスデューサの少なくとも一部は、前記送信素子を兼ねている
ことを特徴とする請求項１乃至１１のいずれか１項に記載の被検体情報取得装置。
【請求項１４】
光照射部、送信素子、および、複数のトランスデューサが設けられた半球状の支持体を備えた音響波装置の制御方法であって、
被検体に前記光照射部から光を照射する工程と、
前記被検体に向けて前記送信素子から超音波を送信する工程と、
前記複数のトランスデューサが、前記被検体に前記光が照射されることにより発生する光音響波を受信する工程と、
前記複数のトランスデューサが、前記超音波が前記被検体で反射された超音波エコーを受信する工程と、
を有し、
前記光音響波を受信する工程と、前記超音波エコーを受信する工程とは、異なるタイミングで行われる
ことを特徴とする音響波装置の制御方法。
【請求項１５】
前記光を照射する工程は、前記超音波エコーを受信する工程の後で行われる
ことを特徴とする請求項１４に記載の音響波装置の制御方法。
【請求項１６】
前記超音波を送信する工程は、前記光音響波を受信する工程の後で行われる
ことを特徴とする請求項１４または１５に記載の音響波装置の制御方法。
【請求項１７】
前記支持体は、半球状に前記複数のトランスデューサを支持するとともに、曲率中心を有し、
前記光音響波を受信する工程では、前記曲率中心に前記複数のトランスデューサそれぞれの指向軸を向けて前記光音響波を受信し、
前記超音波エコーを受信する工程では、前記曲率中心に前記複数のトランスデューサそ
れぞれの指向軸を向けて前記超音波エコーを受信する
ことを特徴とする請求項１４乃至１６のいずれか１項に記載の音響波装置の制御方法。
【手続補正２】
【補正対象書類名】明細書
【補正対象項目名】発明の名称
【補正方法】変更
【補正の内容】
【発明の名称】被検体情報取得装置および音響波装置の制御方法
【手続補正３】
【補正対象書類名】明細書
【補正対象項目名】０００１
【補正方法】変更
【補正の内容】
【０００１】
本発明は、被検体情報取得装置および音響波装置の制御方法に関する。
【手続補正４】
【補正対象書類名】明細書
【補正対象項目名】０００８
【補正方法】変更
【補正の内容】
【０００８】
本発明は、以下の構成を採用する。すなわち、
被検体に光を照射する光照射部と、
前記被検体に向けて超音波を送信する送信素子と、
複数のトランスデューサであって、それぞれが、前記光照射部からの照射光が前記被検体に照射されることにより発生する第一の音響波を検出して第一の電気信号を出力するとともに、前記送信素子から送信された前記超音波が前記被検体で反射されてできた第二の音響波を検出して第二の電気信号を出力する、複数のトランスデューサと、
前記複数のトランスデューサの指向軸が集まるように、前記複数のトランスデューサを支持する支持体と、
前記第一の電気信号と前記第二の電気信号のそれぞれに基づいて前記被検体の特性情報を取得する処理部と、
を有することを特徴とする被検体情報取得装置である。
本発明はまた、以下の構成を採用する。すなわち、
光照射部、送信素子、および、複数のトランスデューサが設けられた半球状の支持体を備えた音響波装置の制御方法であって、
前記被検体に前記光照射部から光を照射する工程と、
前記被検体に向けて前記送信素子から超音波を送信する工程と、
前記複数のトランスデューサが、前記被検体に前記光が照射されることにより発生する光音響波を受信する工程と、
前記複数のトランスデューサが、前記超音波が前記被検体で反射された超音波エコーを受信する工程と、
を有し、
前記光音響波を受信する工程と、前記超音波エコーを受信する工程とは、異なるタイミングで行われる
ことを特徴とする音響波装置の制御方法である。
【手続補正書】
【提出日】平成29年10月23日(2017.10.23)
【手続補正１】
【補正対象書類名】特許請求の範囲
【補正対象項目名】全文
【補正方法】変更
【補正の内容】
【特許請求の範囲】
【請求項１】
コンピューターに、
複数のキャラクターが配置された操作領域を含むゲーム画面を生成する画面生成処理と、
プレイヤーがゲーム画面上のタッチ位置を、操作領域に配置された第１キャラクターの位置から第３キャラクターの位置までスライド移動させたことにより前記第１キャラクターから前記第３キャラクターの選択入力を順次受け付けた後、そのまま操作領域外へスライド移動させてから操作領域の第４キャラクターの位置でスライド移動を終了させたことにより前記第４キャラクターの選択入力を受け付ける受付処理と、
プレイヤーによるタッチ位置のスライド移動が終了した後に、その選択された前記第１キャラクターから前記第４キャラクターのそれぞれに対応付けられたアクションを制御するアクション制御処理と、
を実行させることを特徴とするゲームプログラム。
【請求項２】
請求項１に記載のゲームプログラムであって、
前記受付処理は、前記ゲーム画面が表示されている際に、プレイヤーが操作領域に配置された第５キャラクターの位置をタップ操作することにより前記第５キャラクターの選択入力を個別に受け付け、
前記アクション制御処理は、プレイヤーによるタップ操作が終了した後に、その選択された前記第５キャラクターに対応付けられたアクションを制御する、
ことを特徴とするゲームプログラム。
【請求項３】
請求項１又は２に記載のゲームプログラムであって、
前記アクション制御処理は、選択入力が受け付けられた順番に従って、その選択されたキャラクター毎に対応付けられた待機時間が経過したときに、その選択されたキャラクターのそれぞれに対応付けられたアクションを制御する、
ことを特徴とするゲームプログラム。
【請求項４】
請求項１乃至３のいずれかに記載のゲームプログラムであって、
コンピューターに、
あるキャラクターに対応付けられたアクションが先に行われてから他のキャラクターに対応付けられたアクションが後に行われるまでの時間差が所定時間以内であることにより、ゲームプレイ中に特殊効果を発生させる特殊効果発生処理と、
ことを特徴とするゲームプログラム。
【請求項５】
請求項４に記載のゲームプログラムであって、
前記特殊効果発生処理は、選択入力の受け付けられた順番が遅いキャラクターであるほど、当該キャラクターに与えられる特典を多くする、
ことを特徴とするゲームプログラム。
【請求項６】
複数のキャラクターが配置された操作領域を含むゲーム画面を生成する画面生成部と、
プレイヤーがゲーム画面上のタッチ位置を、操作領域に配置された第１キャラクターの位置から第３キャラクターの位置までスライド移動させたことにより前記第１キャラクターから前記第３キャラクターの選択入力を順次受け付けた後、そのまま操作領域外へスライド移動させてから操作領域の第４キャラクターの位置でスライド移動を終了させたことにより前記第４キャラクターの選択入力を受け付ける受付部と、
プレイヤーによるタッチ位置のスライド移動が終了した後に、その選択された前記第１キャラクターから前記第４キャラクターのそれぞれに対応付けられたアクションを制御するアクション制御部と、
を備えたことを特徴とする情報処理装置。
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
記録媒体に向けて液滴を吐出して該記録媒体に画像を記録する記録手段と、
記録媒体の記録媒体搬送方向と直交する記録媒体幅方向のエッジ位置を検知するエッジ検知手段と、
記録媒体に対する前記記録手段からの液滴の吐出位置を調整する吐出位置調整手段と、
前記エッジ検知手段の出力に基づいた調整量で、前記吐出位置調整手段により前記吐出位置を調整する制御を行なう制御手段とを備えた記録手段吐出位置調整装置において、
前記エッジ検知手段が検知したエッジ位置を、前記記録手段の位置でのエッジ位置に変換するエッジ位置変換手段を有しており、
前記制御手段は、前記エッジ位置変換手段により変換された前記記録手段の位置でのエッジ位置に対応する調整量で、前記吐出位置を調整するように前記制御を行なうことを特徴とする記録手段吐出位置調整装置。
【請求項２】
請求項１に記載の記録手段吐出位置調整装置において、
前記エッジ検知手段は、前記記録手段よりも記録媒体搬送方向上流側に設けられた上流側エッジ検知部と、
前記記録手段よりも記録媒体搬送方向下流側に設けられた下流側エッジ検知部とを有しており、
前記エッジ位置変換手段は、前記上流側エッジ検知部で検知した上流側エッジ位置と、下流側エッジ検知部で検知した下流側エッジ位置とから、前記上流側エッジ位置を前記記録手段の位置でのエッジ位置に変換することを特徴とする記録手段吐出位置調整装置。
【請求項３】
請求項２に記載の記録手段吐出位置調整装置において、
前記エッジ位置変換手段による前記変換は、前記上流側エッジ位置と前記下流側エッジ位置とから求めた、前記上流側エッジ検知部と前記下流側エッジ検知部との間での斜行量に基づいて行なうことを特徴とする記録手段吐出位置調整装置。
【請求項４】
請求項２または３に記載の記録手段吐出位置調整装置において、
記録媒体を搬送する記録媒体搬送手段と、
前記記録媒体搬送手段による記録媒体の搬送量を検知する記録媒体搬送量検知手段と、
前記記録媒体搬送量検知手段が検知した記録媒体の搬送量に基づいて、前記上流側エッジ検知部と前記下流側エッジ検知部とで記録媒体の同じエッジ部分の変位量を検知するためのエッジ検知位置位相合わせ手段と、
前記上流側エッジ検知部及び前記下流側エッジ検知部の検知結果からノイズを除去する第一ノイズ除去手段と、
前記上流側エッジ位置と前記下流側エッジ位置との差分から、前記上流側エッジ検知部と前記下流側エッジ検知部との間でのエッジ位置の変位量を検知するエッジ変位量検知手段と、
前記エッジ変位量検知手段の検知結果からノイズを除去する第二ノイズ除去手段とを有することを特徴とする記録手段吐出位置調整装置。
【請求項５】
請求項１、２、３または４に記載の記録手段吐出位置調整装置において、
前記吐出位置調整手段は、前記記録手段を記録媒体幅方向に移動させる移動手段であり、
前記調整量は、前記移動手段により前記記録手段を移動させる移動量であることを特徴とする記録手段吐出位置調整装置。
【請求項６】
記録媒体に向けて液滴を吐出して該記録媒体に画像を記録する、記録媒体搬送方向に並んで配置された複数の記録手段と、
記録媒体の記録媒体搬送方向と直交する記録媒体幅方向のエッジ位置を検知する複数のエッジ検知手段と、
記録媒体に対する少なくとも１つ以上の記録手段の液滴の吐出位置を調整する吐出位置調整手段とを備えた画像形成装置において、
請求項１、２、３、４または５に記載の記録手段吐出位置調整装置を備えることを特徴とする画像形成装置。